(57)【要約】【課題】ディスプレイが設定された位置から離れにくいディスプレイ支持装置の提供。【解決手段】第１の回動機構１２と第２の回動機構とを有しているアーム手段１と、第１の回動機構１２に枢接されている第１の回動管２１を有するディスプレイ支持手段２と、前記第２の回動機構に枢接されている第２の回動管を有する固定手段と、第１の回動管２１と、第１の回動機構１２との間に介在する締付け手段４と、を有するディスプレイ支持装置であって、締付け手段４は、第１の回動機構１２に取付けられていると共に、第１の回動管２１を包むように管状体に形成されていると共に、所定の幅を有するスリット４１１が形成されている締付け部４１と、スリット４１１の幅を窄めることにより、締付け部４１を第１の回動管２１に固定することができる押圧部４２と、を備えていることを特徴とするディスプレイ支持装置。【選択図】図１１
0003204940.tif 000002
【実用新案登録請求の範囲】
【請求項１】
両端に第１の回動機構と第２の回動機構とがそれぞれ構成されているアーム手段と、前記第１の回動機構に回転可能に枢接されているディスプレイ支持手段と、前記第２の回動機構に回転可能に枢接されている固定手段と、を有するディスプレイ支持装置であって、
前記ディスプレイ支持手段は、ディスプレイを支持できるように構成されているディスプレイ支持部と、管状に形成され、一端が前記ディスプレイ支持部と接続し、該一端の反対側にある他端が前記第１の回動機構に回転可能に枢接されている第１の回動管と、を有するように構成されており、
前記固定手段は、所定の設置位置に固定できるように構成されている固定部と、管状に形成され、一端が前記固定部と接続し、該一端の反対側にある他端が前記第２の回動機構に回転可能に枢接されている第２の回動管と、を有するように構成されており、
更に、前記ディスプレイ支持装置は、前記第１の回動管と前記第２の回動管とのいずれか１つに対応して、前記対応の回動管と、前記対応の回動管が枢接されている前記第１の回動機構または前記第２の回動機構との間に介在するように取付けられている締付け手段と、を更に有し、
前記締付け手段は、
前記対応の回動管が枢接されている前記第１の回動機構または前記第２の回動機構に取付けられていると共に、前記対応の回動管の前記他端を包んで受入れることができるように管状体に形成されていると共に、前記管状体の前記対応の回動管の前記一端に臨む端部から、前記対応の回動管が枢接されている前記第１の回動機構または前記第２の回動機構側へ切り込まれて所定の幅を有するスリットが形成されている締付け部と、
前記締付け部に取付けられ、且つ前記締付け部の前記スリットの幅を狭めることにより、前記締付け部を前記対応の回動管に締め付けて前記締付け部を前記対応の回動管に固定することができる押圧部と、を備えていることを特徴とするディスプレイ支持装置。
【請求項２】
前記締付け手段が取付けられている前記第１の回動機構または前記第２の回動機構は、前記締付け部の表面において前記スリットと隣接する所定の当接位置を覆うことができる挿通部を有するように構成されており、
前記締付け手段の前記押圧部は、
前記締付け部における前記当接位置に当接するまで前記挿通部にねじ込まれるように挿通している棒状のネジ部と、
前記棒状のネジ部の前記当接位置に当接する一端の反対端に形成され、且つ前記挿通部外に露出しているヘッド部と、を有するように構成されていることを特徴とする請求項１に記載のディスプレイ支持装置。
【請求項３】
前記締付け手段は、前記ネジ部と前記当接位置との間に介在し、且つ前記当接位置に接する面積が前記ネジ部の前記当接位置に臨む端面より広くなっている当接板と、を有していることを特徴とする請求項２に記載のディスプレイ支持装置。
【請求項４】
前記締付け手段は、前記第１の回動機構と前記第２の回動機構とにそれぞれ取付けられていることを特徴とする請求項１〜請求項３のいずれか一項に記載のディスプレイ支持装置。
【請求項５】
前記ディスプレイ支持手段の前記第１の回動管は、第１の直線を中心軸として該第１の直線に沿って延伸するように形成され、前記第１の回動機構に取付けられている前記締付け部を介して回転可能に前記第１の回動機構に枢接されるように配置構成されており、
前記固定手段の前記第２の回動管は、第２の直線を中心軸として該第２の直線に沿って延伸するように形成され、前記第２の回動機構に取付けられている前記締付け部を介して回転可能に前記第２の回動機構枢接されるように配置構成されており、
前記第１の回動機構は、前記締付け手段の前記締付け部が取り付けられ、前記第１の回動管が前記締付け部を介して回転可能に枢接するように構成されている第１の枢接部と、
前記第１の枢接部と繋がっていると共に、前記第１の枢接部が前記ディスプレイ支持手段と共に前記アーム手段に対して、前記第１の直線と略直交する第１の回動軸を軸心として回動できるよう、前記アーム手段に枢接されている第１の回動部と、を有しており、
前記第２の回動機構は、前記締付け手段の前記締付け部が取り付けられ、前記第２の回動管が前記締付け部を介して回転可能に枢接するように構成されている第２の枢接部と、
前記第２の枢接部と繋がっていると共に、前記第２の枢接部が前記固定手段と共に前記アーム手段に対して、前記第２の直線と略直交する第２の回動軸を軸心として回動できるよう、前記アーム手段に枢接されている第２の回動部と、を有していることを特徴とする請求項１〜請求項４のいずれか一項に記載のディスプレイ支持装置。
【請求項６】
前記第１の枢接部は、前記第１の枢接部の前記第１の回動管を受け入れる端部の周縁の一部から、前記第１の回動管に向かう側の反対側にある外側へ張り出すように形成されている第１の突縁を有し、
前記第１の枢接部に枢接している前記第１の回動管の前記第１の枢接部から露出する露出部分は、前記第１の回動管の表面から突出する第１の突起を有し、
前記ディスプレイ支持手段は、前記第１の枢接部に枢接している第１の回動管の前記露出部分及び前記第１の枢接部の前記端部を包囲するように構成されている第１の回転リングを更に有しており、
前記第１の回転リングは、前記第１の回動管の前記露出部分に面する表面において前記第１の突起を受入れることができるように凹設され、且つ前記第１の回動管が回転する際に該第１の突起が移動することができるように環状に延伸している第１の移動溝が形成され、また、前記第１の回転リングの内側には、前記第1の突起に当接されて、前記第１の回転リングが前記第１の回動管と共に回転することができるように、前記第１の移動溝内において突起して形成されている第１の当接ブロックと、前記第１の回転リングが前記第１の回動管と共に前記回転をする際に、前記第１の突縁に当接して、該回転を阻止できるように形成されている第１の当接突起と、を有するように構成されていることを特徴とする請求項５に記載のディスプレイ支持装置。
【請求項７】
前記第２の枢接部は、前記第２の枢接部の前記第２の回動管を受け入れる端部の周縁の一部から、前記第２の回動管に向かう側の反対側にある外側へ張り出すように形成されている第２の突縁を有し、
前記第２の枢接部に枢接している前記第２の回動管の前記第２の枢接部から露出する露出部分は、前記第２の回動管の表面から突出する第２の突起を有し、
前記ディスプレイ支持部は、前記第２の枢接部に枢接した前記第２の回動管の前記露出部分及び前記第２の枢接部の前記端部を包囲するように構成されている第２の回転リングを更に有しており、
前記第２の回転リングは、前記第２の回動管の前記露出部分に面する表面において前記第２の突起を受入れることができるように凹設され、且つ前記第２の回動管が回転する際に該第２の突起が移動することができるように環状に延伸している第２の移動溝が形成され、また、前記第２の回転リングの内側には、前記第２の突起に当接されて、前記第２の回転リングが前記第２の回動管と共に回転することができるように、前記第２の移動溝内において突起して形成されている第２の当接ブロックと、前記第２の回転リングが前記第２の回動管と共に前記回転をする際に、前記第２の突起に当接して、該回転を阻止できるように形成されている第２の当接突起と、を有するように構成されていることを特徴とする請求項５または請求項６に記載のディスプレイ支持装置。
【請求項８】
前記ディスプレイ支持部は、周壁と、前記周壁と共にディスプレイが取り付けられる側に向かう開口を有する第１の収容空間を画成しながら、前記第１の収容空間に連通する円形の受入孔が開けられる頂壁と、を有するように構成されており、
前記ディスプレイ支持手段は、第２の収容空間を画成するように中空に構成され、一端部が前記第１の回動管に連通し、且つ、前記一端部の反対端部が前記第１の収容空間に連通するように前記ディスプレイ支持部に取り付けられているケーブル収容部を更に有していることを特徴とする請求項１〜請求項７のいずれか一項に記載のディスプレイ支持装置。
【請求項９】
前記ケーブル収容部は、
前記第２の収容空間を画成する収容部本体と、
前記収容部本体が前記第１の回動管に対して、前記第１の直線と略直交する収容部回動軸線を軸心として回動可能に且つ前記第１の回動管と共に前記第１の直線を回転軸として回転可能に前記第１の回動管に接続するように、前記一端部に構成されている収容部回動軸と、
前記反対端部に、前記第１の収容空間と前記第２の収容空間とが互いに連通する連通孔が開けられ、円柱状に形成されて前記ディスプレイ支持部に対して、前記第１の直線及び前記収容部回動軸線と略直交する支持部回動軸線を軸心として回動可能に前記ディスプレイ支持部の前記受入孔に嵌め込んで取り付けられる取付け突起と、
前記ディスプレイ支持部の前記頂壁のディスプレイが取り付けられる側から、前記頂壁を前記収容部本体との間に挟むように前記取付け突起に取り付けられる取付け蓋と、
前記収容部本体の前記ディスプレイ支持部に面する側の反対側に、前記収容部本体と共に前記第２の収容空間を画成するように取り付けられる収容部本体カバーと、を更に有するように構成されていることを特徴とする請求項８に記載のディスプレイ支持装置。
【請求項１０】
前記取付け蓋は、前記取付け蓋の周縁の一部から張り出すように形成されている第１の当接部を有しており、
前記頂壁は、前記ディスプレイ支持部が回転する際に、前記頂壁から前記第１の当接部に当接して該回転を阻止できるように突起して形成されている第２の当接部を有するように構成されていることを特徴とする請求項９に記載のディスプレイ支持装置。
【請求項１１】
前記固定手段は、収納空間を画成するように中空に構成されている連接アーム本体と、前記第２の回動管と共に回転可能に前記第２の回動管に連接されている第１の連接端部と、前記連接アーム本体に対して回転可能に前記固定部に枢接されている第２の連接端部と、前記収納空間に設置され、ケーブルをまとめて挟むことができるように構成されている複数のクリップと、を有するように構成されている連接アームを更に有していることを特徴とする請求項４〜請求項１０のいずれか一項に記載のディスプレイ支持装置。
【考案の詳細な説明】
【技術分野】
【０００１】
本考案はディスプレイ支持装置に関し、具体的にはディスプレイの位置を調整できるディスプレイ支持装置に関する。
【背景技術】
【０００２】
従来のディスプレイ支持装置、例えば特許文献１に記載されているディスプレイ支持装置は、ディスプレイが設置できるディスプレイ設置部と、該ディスプレイ支持装置を所定の設置位置に固定できるように構成されている固定部と、ディスプレイ設置部が水平回転できるように構成されている第１の回動機構及び固定部が水平回転できるように構成されている第２の回動機構とを有するアーム手段と、を備えている。
【０００３】
該ディスプレイ支持装置が第１の回動機構と第２の回動機構とを有するので、使用者は前記２つの回動機構の可動範囲内でディスプレイの前後左右における位置及び影像を表示する表示面の向きを好みの位置に調整できる。
【先行技術文献】
【特許文献】
【０００４】
【特許文献１】台湾実用新案公告第Ｍ３９３１３７号明細書
【考案の概要】
【考案が解決しようとする課題】
【０００５】
しかし、上記従来のディスプレイ支持装置では、第１の回動機構及び第２の回動機構において不意の回転を防止する装置が設置されていないので、ディスプレイの位置または向きは、ディスプレイやアーム手段の重量の影響で、または使用者の接触などの外力の影響で設定された位置からずれやすいという欠点がある。
【０００６】
上記問題点に鑑みて、本考案は、ディスプレイが設定された位置からずれにくいディスプレイ支持装置の提供を目的とする。
【課題を解決するための手段】
【０００７】
上記目的を達成すべく、本考案は、両端に第１の回動機構と第２の回動機構とがそれぞれ構成されているアーム手段と、前記第１の回動機構に回転可能に枢接されているディスプレイ支持手段と、前記第２の回動機構に回転可能に枢接されている固定手段と、を有するディスプレイ支持装置であって、前記ディスプレイ支持手段は、ディスプレイを支持できるように構成されているディスプレイ支持部と、管状に形成され、一端が前記ディスプレイ支持部と接続し、該一端の反対側にある他端が前記第１の回動機構に回転可能に枢接されている第１の回動管と、を有するように構成されており、前記固定手段は、所定の設置位置に固定できるように構成されている固定部と、管状に形成され、一端が前記固定部と接続し、該一端の反対側にある他端が前記第２の回動機構に回転可能に枢接されている第２の回動管と、を有するように構成されておりと、更に、前記ディスプレイ支持装置は、前記第１の回動管と前記第２の回動管とのいずれか１つに対応して、前記対応の回動管と、前記対応の回動管が枢接されている前記第１の回動機構または前記第２の回動機構との間に介在するように取付けられている締付け手段と、を更に有し、該前記締付け手段は、前記対応の回動管が枢接されている前記第１の回動機構または前記第２の回動機構に取付けられていると共に、前記対応の回動管の前記他端を包むように受入れることができるように管状体に形成されていると共に、前記管状体の前記対応の回動管の前記一端に臨む端部から、前記対応の回動管が枢接されている前記第１の回動機構または前記第２の回動機構側へ切り込まれて所定の幅を有するスリットが形成されている締付け部と、前記締付け部に取付けられ、且つ前記締付け部の前記スリットの幅を窄めることにより、前記締付け部を前記対応の回動管に締め付けて前記締付け部を前記対応の回動管に固定することができる押圧部と、を備えていることを特徴とするディスプレイ支持装置を提供する。
【考案の効果】
【０００８】
上記構成により、本考案のディスプレイ支持装置は、回動機構内の回動管を締付けて固定できる締付け手段を増設することにより、該回動管の回転を阻止することができるので、従来のディスプレイ支持装置より、ディスプレイやアーム手段の重量の影響や使用者の接触などの外力の影響を受けても、ディスプレイが設定された位置から離れにくい効果を有する。
【図面の簡単な説明】
【０００９】
【図１】本考案のディスプレイ支持装置の第１の実施形態を示す部品分解図である。
【図２】上記第１の実施形態のディスプレイ支持装置を示す斜視図である。
【図３】上記第１の実施形態のディスプレイ支持装置を他の角度から示す斜視図である。
【図４】上記第１の実施形態のディスプレイ支持装置の第１の回動機構を示す部品分解図である。
【図５】上記第１の実施形態のディスプレイ支持装置のディスプレイ支持手段を示す部品分解図である。
【図６】上記第１の実施形態のディスプレイ支持装置の第２の回動機構を示す部品分解図である。
【図７】上記第１の実施形態のディスプレイ支持装置の第１の回動機構を示す縦断面図である。
【図８】上記第１の実施形態のディスプレイ支持装置の第２の回動機構を示す縦断面図である。
【図９】上記第１の実施形態のディスプレイ支持装置の第１の回動機構を示す横断面図である。
【図１０】上記第１の実施形態のディスプレイ支持装置の第２の回動機構を示す横断面図である。
【図１１】上記第１の実施形態のディスプレイ支持装置の第１の回動機構に設置されている締め付け手段を示す斜視図である。
【図１２】上記第１の実施形態のディスプレイ支持装置の第２の回動機構に設置されている締め付け手段を示す斜視図である。
【図１３】第２の実施形態のディスプレイ支持装置のディスプレイ支持手段を示す正面図である。
【図１４】上記第２の実施形態のディスプレイ支持装置を示す斜視図である。
【考案を実施するための形態】
【００１０】
以下では各図面を参照しながら、本考案の各好ましい実施形態について詳しく説明する。
【００１１】
（第１の実施形態）
考案のディスプレイ支持装置の第１の実施形態は、図１及び図２に示されるように、アーム手段１と、ディスプレイ支持手段２と、固定手段３と、締付け手段４と、を有するように構成されている。
【００１２】
アーム手段１は、図１及び図２に示されるように、第１の回動機構１２と第２の回動機構１３と第１の収納空間１１１を画成するように中空に形成されているアーム本体１１とにより構成されている。アーム本体１１の両端に第１の回動機構１２と第２の回動機構１３とがそれぞれ構成されている。
【００１３】
ディスプレイ支持手段２は、図３及び図４に示されるように、ディスプレイを支持できるように構成されているディスプレイ支持部２２と、第１の直線Ａを中心軸として延伸して管状に形成され、一端がディスプレイ支持部２２と接続し、該一端の反対側にある他端が第１の直線Ａを回転軸として回転可能に第１の回動機構１２に枢接されている第１の回動管２１と、を有するように構成されている。
【００１４】
固定手段３は、図１及び図６に示されるように、例えば壁面などにおける所定の設置位置に固定できるように構成されている固定部３２と、第２の直線Ｂを中心軸として延伸して管状に形成され、一端が固定部３２と接続し、該一端の反対側にある他端が第２の直線Ｂを回転軸として回転可能に第２の回動機構１３に枢接されている第２の回動管３１と、を有するように構成されている。なお、第２の回動管３１の一端は、本実施形態においては図１に示されているように後述する連接アーム３３および第３の回動管３５を介して固定部３２と接続しているが、後述する第２の実施形態（図１４）のように第２の回動管３１の一端が固定部３２と直接接続されるようにしてもよい。
【００１５】
締付け手段４は、図７及び図１１に示されるように、第１の回動管２１と、第１の回動管２１が枢接されている第１の回動機構１２との間に介在するように第１の回動機構１２に取り付けられていると共に、第１の回動管２１の第１の回動機構１２に枢接されている他端を包んで受入れることができるように管状体に形成されていると共に、該管状体の第１の回動管２１の上記一端に臨む端部から、第１の回動管２１が枢接されている第１の回動機構１２側へ切り込まれて所定の幅を有するスリット４１１が形成されている締付け部４１と、締付け部４１に取付けられ、且つ締付け部４１のスリット４１１の幅を狭めることにより、締付け部４１を第１の回動管２１に締め付けて締付け部４１を第１の回動管２１に固定することができる押圧部４２と、を備えている。
【００１６】
また、第１の回動機構１２には、締付け部４１の表面においてスリット４１１と隣接する所定の当接位置を覆うことができる第１の挿通部１４１が設けられている。
【００１７】
そして、締付け手段４の押圧部４２は、締付け部４１における前記当接位置に当接するまで第１の挿通部１４１にねじ込まれるように挿通している棒状のネジ部４２１と、棒状のネジ部４２１の前記当接位置に当接する一端の反対端に形成され、且つ第１の挿通部１４１外に露出しているヘッド部４２２と、を有するように構成されている。
【００１８】
更に、締付け手段４は、図７及び図１１に示されるように、ネジ部４２１と前記当接位置との間に介在し、且つ前記当接位置に接する面積がネジ部４２１の前記当接位置に臨む端面より広くなっている当接板４３と、を有している。
【００１９】
また、本実施形態において、図８及び図１１に示されるように、締付け手段４は、第１の回動機構１２における取り付け態様と同様に第２の回動機構１３にも取り付けられている。第２の回動機構１３には、締付け部４１の表面においてスリット４１１と隣接する所定の当接位置を覆うことができる第２の挿通部１５１が設けられている。
【００２０】
この実施形態において、第１の回動機構１２に取付けられている締付け手段４は、そのヘッド部４２２に、ねじ回しで回転するための溝が形成されているので、ねじ回しを用いて押圧部４２のネジ部４２１を、締付け部４１における前記当接位置に当接するまで第１の挿通部１４１にねじ込んで締付け部４１のスリット４１１の幅を窄めることにより、締付け部４１と第１の回動管２１との間の摩擦力が増えて、第１の回動管２１が締付け部４１に対して回転しにくくなり、または、締付け部４１を第１の回動管２１に締め付けて締付け部４１を第１の回動管２１に固定することができる。同様に、第２の回動機構１３に取付けられている締付け手段４も同じ構成と効果がある。
【００２１】
なお、締付け手段４は、第１の回動機構１２と第２の回動機構１３とにおける片方だけに取り付けてもよい。
【００２２】
アーム手段１のアーム本体１１は、図１、図７及び図８に示されるように、第１の回動機構１２に枢接されている第１の回動管２１と第２の回動機構１３に枢接されている第２の回動管３１とそれぞれ連通する第１の収納空間１１１を画成するように中空に形成されている。
【００２３】
第１の回動機構１２は、図４に示されるように、締付け手段４の締付け部４１が取り付けられ、第１の回動管２１が締付け部４１を介して回転可能に枢接するように構成されている第１の枢接部１２２と、第１の枢接部１２２と繋がっていると共に、第１の枢接部１２２がディスプレイ支持手段２と共にアーム手段１に対して、第１の直線Ａと略直交する第１の回動軸Ｃを軸心として回動できるよう、アーム手段１に枢接されている第１の回動部１２１と、第１の枢接部１２２と第１の回動部１２１と１つの締付け部４１とを覆うように取り付けられている第１の回動機構カバー１４と、を有している。
【００２４】
第１の枢接部１２２は、第１の枢接部１２２の第１の回動管２１を受け入れる端部の周縁の一部から、第１の回動管２１に向かう側の反対側にある外側へ張り出すように形成されている第１の突縁１２３を有している。
【００２５】
第１の回動管２１は、第１の枢接部１２２から露出する露出部分において、第１の回動管２１の外表面から突起する第１の突起２１１を有している。
【００２６】
ディスプレイ支持部２２は、第１の枢接部１２２に枢接している第１の回動管２１の前記露出部分及び第１の枢接部１２２の前記端部を包囲するように構成されている第１の回転リング２４を更に有している。
【００２７】
第１の回転リング２４は、図４及び図９に示されるように、第１の回動管２１の前記露出部分に面する表面（即ち内側の表面）において第１の突起２１１を受入れることができるように凹設され、且つ、第１の回動管２１が回転する際に第１の突起２１１が移動することができるように環状に延伸している第１の移動溝２４２が形成されている。また、第１の回転リング２４の内側には、第1の突起２１１に当接されて、第１の回転リング２４が第１の回動管２１と共に回転することができるように、第１の移動溝２４２内において突起して形成されている第１の当接ブロック２４１と、第１の回転リング２４が第１の回動管２１と共に前記回転をする際に、第１の突縁１２３に当接して、該回転を阻止できるように形成されている第１の当接突起２４３と、を有するように構成されている。
【００２８】
この第１の回動機構１２及び第１の回転リング２４の構成により、第１の回動管２１を第１の直線Ａを回転軸として回転すると、第１の回動管２１の外表面から突起する第１の突起２１１が第１の移動溝２４２内で移動し、そして、第１の突起２１１が第１の回転リング２４内の第１の当接ブロック２４１に当接するまで第１の回動管２１を回転すると、第１の突起２１１が第１の当接ブロック２４１を押して、第１の回転リング２４が第１の回動管２１と共に回転することになる。更に、そのまま第１の回転リング２４と共に第１の回動管２１を、第１の回転リング２４の第１の当接突起２４３が第１の突縁１２３に当接するまで回転できる。
【００２９】
この実施形態において、第１の回転リング２４は、第１の突起２１１が第１の移動溝２４２内で２９０度移動するように第１の回動管２１を回転した後、第１の回転リング２４が第１の回動管２１と共に８０度回転できるように構成されている。従って、第１の回動管２１は第１の回動機構１２に対して３７０度回転できる。
【００３０】
第２の回動機構１３は、図６に示されるように、締付け手段４の締付け部４１が取り付けられ、第２の回動管３１が締付け部４１を介して回転可能に枢接するように構成されている第２の枢接部１３２と、第２の枢接部１３２と繋がっていると共に、第２の枢接部１３２が固定手段３と共にアーム手段１に対して、第２の直線Ｂと略直交する第２の回動軸Ｄ（図１参照）を軸心として回動できるよう、アーム手段１に枢接されている第２の回動部１３１と、第２の枢接部１３２と第２の回動部１３１と締付け部４１とを覆うように取り付けられている第２の回動機構カバー１５と、を有している。
【００３１】
第２の枢接部１３２は、第２の枢接部１３２の第２の回動管３１を受け入れる端部の周縁の一部から、第２の回動管３１に向かう側の反対側にある外側へ張り出すように形成されている第２の突縁１３３を有している。
【００３２】
第２の枢接部１３２に枢接している第２の回動管３１の第２の枢接部１３２から露出する露出部分は、第２の回動管３１の外表面から突出する第２の突起３１１を有している。
【００３３】
固定手段３は、第２の枢接部１３２に枢接した第２の回動管３１の前記露出部分及び第２の枢接部１３２の前記端部を包囲するように構成されている第２の回転リング３４を更に有している。
【００３４】
第２の回転リング３４は、図６及び図１０に示されるように、第２の回転管３１の前記露出部分に面する内側の表面において第２の突起３１１を受入れることができるように凹設され、且つ第２の回動管３１が回転する際に移動することができるように環状に延伸している第２の移動溝３４２が形成されている。また、第２の回転リング３４の内側には、第２の突起３１１に当接されて、第２の回転リング３４が第２の回動管３１と共に回転することができるように、第２の移動溝３４２内において突起して形成されている第２の当接ブロック３４１と、第２の回転リング３４が第２の回動管３１と共に前記回転をする際に、第２の突起３１１に当接して、該回転を阻止できるように形成されている第２の当接突起３４３と、を有するように構成されている。
【００３５】
この第２の回動機構１３及び第２の回転リング３４は、上記第１の回動機構１２及び第１の回転リング２４と同じ構成を有しているので、同じ連動ができ、更に、回転できる角度も同じく構成されているので、第２の回動管３１は第２の回動機構１３に対して３７０度回転できる。
【００３６】
また、この実施形態において、第１の回転リング２４及び第２の回転リング３４はそれぞれ、２つの半円環状の部品により構成されている。
【００３７】
ディスプレイ支持部２２は、図５、図１３等に示されているように、ディスプレイを取り付けるための複数の支持ネジ孔２２５が形成されている周壁２２３と、周壁２２３と共にディスプレイが取り付けられる側に向かう開口を有する第１の収容空間２２０を画成しながら、第１の収容空間２２０に連通する円形の受入孔２２２が開けられている頂壁２２１と、を有するように構成されている。
【００３８】
また、図１に示されているように、ディスプレイ支持手段２は、第２の収容空間２５２を画成するように中空に構成され、一端部が第１の回動管２１に連通し、且つ、前記一端部の反対端部が第１の収容空間２２０に連通するようにディスプレイ支持部２２に取り付けられているケーブル収容部２３を更に有している。
【００３９】
ケーブル収容部２３は、第２の収容空間２５２を画成する収容部本体２５と、収容部本体２５が第１の回動管２１に対して、第１の直線Ａと略直交する収容部回動軸線Ｅを軸心として回動可能に且つ第１の回動管２１と共に第１の直線Ａを回転軸として回転可能に接続するように、前記一端部に構成されている収容部回動軸２５１と、前記反対端部に、第１の収容空間２２０と第２の収容空間２５２とが互いに連通する連通孔２６１が開けられ、円柱状に形成されてディスプレイ支持部２２に対して、第１の直線Ａ及び収容部回動軸線Ｅと略直交する支持部回動軸線Ｆを軸心として回動可能にディスプレイ支持部２２の受入孔２２２に嵌め込んで取り付けられる取付け突起２６と、ディスプレイ支持部２２の頂壁２２１のディスプレイが取り付けられる側から、頂壁２２１を収容部本体２５との間に挟むように取付け突起２６に取り付けられる取付け蓋２７と、収容部本体２５のディスプレイ支持部２２に面する側の反対側に、収容部本体２５と共に第２の収容空間２５２を画成するように取り付けられる収容部本体カバー２８と、を有するように構成されている。
【００４０】
また、取付け蓋２７は、取付け蓋２７の周縁の一部から張り出すように形成されている第１の当接部２７１を有している。頂壁２２１は、ディスプレイ支持部２２が回転する際に、頂壁２２１から第１の当接部２７１に当接して該回転を阻止できるように突起して形成されている第２の当接部２２４を有するように構成されている。
【００４１】
この構成により、ディスプレイは、図１３に示されるように、ディスプレイ支持部２２にある支持ネジ孔２２５を介してディスプレイ支持装置に取り付けられる。ディスプレイがディスプレイ支持部２２と共に支持部回動軸線Ｆを軸心として、第１の当接部２７１が第２の当接部２２４に当接するまで回動できる。
【００４２】
連接アーム３３は、第２の収納空間３３５を画成するように中空に構成されている連接アーム本体３３３（図１参照）と、第２の回動管３１と共に回転可能に第２の回動管３１に連接されている第１の連接端部３３１と、中空に形成されている第３の回動管３５に連接され、第３の回動管３５の一端の開口を露出するように構成され、連接アーム本体３３３に対して回転可能に固定部３２に枢接されている第２の連接端部３３２と、第２の収納空間３３５に設置され、ケーブルをまとめて挟むことができるように構成されている複数のクリップ３３４と、を有するように構成されている。
【００４３】
この実施形態において、固定部３２には、複数の固定ネジ孔３２１が形成されている。固定ネジ孔３２１を介してネジを用いて固定部３２を壁に固定することができる。第３の回動管３５は、下方に向く端部の開口が露出されている。
【００４４】
上記の構成によれば、本考案のディスプレイ支持装置は、締付け手段２により、対応の回動機構内の回動管を固定して、該回動管の回転を阻止することができるので、従来のディスプレイ支持装置より、ディスプレイやアーム手段の重量の影響で、または使用者の接触などの外力の影響で、ディスプレイが設定された位置から離れにくい効果を有する。
【００４５】
ディスプレイのケーブルは、ディスプレイ支持部２２が画成する第１の収容空間２２０から、ケーブル収容部２３が画成する第２の収容空間２５２、第１の回動管２１、アーム本体１１が画成する第１の収納空間１１１、第２の回動管３１、連接アーム３３が画成する第２の収納空間３３５及び第３の回動管３５と順番に経由させて収容することができ、そして、第３の回動管３５の下方に向く端部の開口から出して影像出力装置または電源に接続する。
【００４６】
本発明のディスプレイ支持装置の第２の実施形態は、上記第１の実施形態と類似する構成を有するので、ここでは詳しい説明を省略し、その相違点のみを説明する。
【００４７】
本発明の第２の実施形態において、図１４に示されるように、固定手段３は、所定の設置位置に固定できるように構成されている固定部３２と、第２の直線Ｂを中心軸として延伸して管状に形成され、一端が固定部３２に接続し、該一端の反対側にある他端が第２の直線Ｂを回転軸として回転可能に第２の回動機構１３に枢接されている第２の回動管３１と、により構成され、連接アーム３３を有しない。
【産業上の利用可能性】
【００４８】
本考案のディスプレイ支持装置は、液晶ディスプレイ、プラズマディスプレイ、有機ＥＬディスプレイなどのディスプレイを支持しながら、例えば壁面や天井などに設置することに好適である。
【符号の説明】
【００４９】
１  アーム手段
１１  アーム本体
１１１  第１の収納空間
１２  第１の回動機構
１２１  第１の回動部
１２２  第１の枢接部
１２３  第１の突縁
１３  第２の回動機構
１３１  第２の回動部
１３２  第２の枢接部
１３３  第２の突縁
１４  第１の回動機構カバー
１４１  第１の挿通部
１５  第２の回動機構カバー
１５１  第２の挿通部
２  ディスプレイ支持手段
２１  第１の回動管
２１１  第１の突起
２２  ディスプレイ支持部
２２０  第１の収容空間
２２１  頂壁
２２２  受入孔
２２３  周壁
２２４  第２の当接部
２２５  支持ネジ孔
２３  ケーブル収容部
２４  第１の回転リング
２４１  第１の当接ブロック
２４２  第１の移動溝
２４３  第１の当接突起
２５  収容部本体
２５１  収容部回動軸
２５２  第２の収容空間
２６  取付け突起
２６１  連通孔
２７  取付け蓋
２７１  第１の当接部
２８  収容部本体カバー
３  固定手段
３１  第２の回動管
３１１  第２の突起
３２  固定部
３２１  固定ネジ孔
３３  連接アーム
３３１  第１の連接端部
３３２  第２の連接端部
３３３  連接アーム本体
３３４  クリップ
３３５  第２の収納空間
３４  第２の回転リング
３４１  第２の当接ブロック
３４２  第２の移動溝
３４３  第２の当接突起
３５  第３の回動管
４  締付け手段
４１  締付け部
４１１  スリット
４２  押圧部
４２１  ネジ部
４２２  ヘッド部
４３  当接板
Ａ  第１の直線
Ｂ  第２の直線
Ｃ  第１の回動軸
Ｄ  第２の回動軸
Ｅ  収容部回動軸線
Ｆ  支持部回動軸線
【図１】
0003204940.tif 000003
【図２】
0003204940.tif 000004
【図３】
0003204940.tif 000005
【図４】
0003204940.tif 000006
【図５】
0003204940.tif 000007
【図６】
0003204940.tif 000008
【図７】
0003204940.tif 000009
【図８】
0003204940.tif 000010
【図９】
0003204940.tif 000011
【図１０】
0003204940.tif 000012
【図１１】
0003204940.tif 000013
【図１２】
0003204940.tif 000014
【図１３】
0003204940.tif 000015
【図１４】
0003204940.tif 000016